(57)【要約】      （修正有）【課題】実用的且つ効率的で、汎用性及び信頼性が高く、安価で単純なウォーム歯車の検査方法を提供する。【解決手段】検査対象の歯車１の実外形ＰＲを特定する工程と、実外形ＰＲを走査して測定外形ＰＭを得る工程と、測定外形ＰＭを低域フィルタ４によりフィルタして一次外形ＰＰを得る工程と、一次外形ＰＰを高域フィルタ５によりフィルタして表面分析外形ＳＡを得る工程と、３個のパラメータ（ＳＡａ；ＳＡｑ；ＳＡｐ）を表面分析外形ＳＡから計算し、３個のパラメータ（ＳＡａ；ＳＡｑ；ＳＡｐ）を予設定する閾値（ＴＳａ；ＴＳｑ；ＴＳｐ）と比較し、パラメータの少なくとも１個が対応する閾値を超える場合、歯車１を不良と判断する工程と、を備える。【選択図】図６
2019007947.tif 000002
【特許請求の範囲】
【請求項１】
ウォーム歯車の検査方法であって：
検査対象の歯車（１）の実外形（ＰＲ）を、前記歯車の軸を含包する面を考慮して、前記歯車の外側面と前記歯車の軸を含包する前記面との交差部により特定する工程と、
前記実外形（ＰＲ）を感触器（３）により走査して測定外形（ＰＭ）を得る工程と、
前記測定外形（ＰＭ）を、予設定する遮断周波数（ｆｓ）の低域フィルタ（４）によりフィルタして一次外形（ＰＰ）を得る工程と、
前記一次外形（ＰＰ）を、予設定する遮断周波数（ｆｃ）の高域フィルタ（５）によりフィルタして表面分析外形（ＳＡ）を得る工程と、
前記表面分析外形（ＳＡ）の正中線を計算する工程と、
第１の誤差二次平均パラメータ（ＳＡａ）を以下の数式により計算する工程と
【数１】
2019007947.tif 000010
（式中、ｘｉは前記表面分析外形における点と前記表面分析外形の前記正中線との絶対偏差であり；ｎｐは評価分析において考慮される点の数である）；
第２の２次誤差パラメータ（ＳＡｑ）を以下の数式により計算する工程と；
【数２】
2019007947.tif 000011
第３のピーク平均パラメータ（ＳＡｐ）を以下の数式により計算する工程と
【数３】
2019007947.tif 000012
（式中、ｐｉは前記表面分析外形の前記正中線からの距離が少なくとも４個の隣接点の距離より大きいピーク点である）；
前記第１、第２及び第３のパラメータ（ＳＡａ；ＳＡｑ；ＳＡｐ）が対応する予設定する閾値（ＴＳａ；ＴＳｑ；ＴＳｐ）と比較し、前記パラメータの少なくとも１個が前記対応する閾値を超える場合、前記歯車を不良と判断する工程と、を備える方法。
【請求項２】
請求項１に記載の方法であって、前記低域フィルタ（４）及び／又は前記高域フィルタ（５）はガウス・フィルタである、方法。
【請求項３】
請求項２に記載の方法であって、前記低域フィルタの前記遮断周波数（ｆｓ）は７である下限界波長値（λｓ）に反比例する、方法。
【請求項４】
請求項２に記載の方法であって、前記高域フィルタの前記遮断周波数（ｆｃ）は上限界波長値（λｓ）に反比例し、前記感触器（３）により走査される点の数に比例する、方法。
【請求項５】
請求項４に記載の方法であって、前記上限界波長値（λｓ）は前記感触器により走査される点の数を１０で乗算したものである、方法。
【請求項６】
上記請求項１から５いずれか一項に記載の方法であって、前記評価分析（ｎｐ）において考慮される点の数は前記感触器（３）により走査される点の数の約８０％である、方法。
【請求項７】
上記請求項１から６いずれか一項に記載の方法であって、前記感触器（３）は２０００個より多い数、好ましくは３０００個の点に対して走査を行う、方法。
【請求項８】
上記請求項１から７いずれか一項に記載の方法であって、前記閾値（ＴＳａ；ＴＳｑ；ＴＳｐ）は以下の表に示す値である、方法。
【表１】
2019007947.tif 000013
【発明の詳細な説明】
【技術分野】
【０００１】
産業発明に対する本特許出願はウォーム歯車の検査方法に関連する。
【背景技術】
【０００２】
ウォーム歯車の咬合の不良を判断するための検査方法として複数の公知の方法がある。先行技術による方法は組立体にねじを装着し、組立体の性能及び雑音レベルを従来の器機により分析する。
【０００３】
先行技術の検査方法はねじを組立ラインにおいて装着し、ねじが試験に合格するか確認する必要があるため時間を要し、煩雑及び複雑であることは明らかである。その後、ねじを組立ラインから取外し、製造部に搬送するか又は試験結果によって不良と判断する。
【０００４】
更に、上述したような種類の検査は信頼性が低く、ねじの品質を保証するものではない。
【発明の概要】
【発明が解決しようとする課題】
【０００５】
本発明の目的は、使用に際して実用的且つ効率的で、汎用性及び信頼性が高く、安価で単純なウォーム歯車の検査方法を開示することにより、先行技術における問題を解決することである。
【課題を解決するための手段】
【０００６】
上記の目的は独立請求項１の特徴を備える本発明により達成される。
【０００７】
本発明の実施の形態の効果は従属請求項により明らかである。
【０００８】
本発明の方法によれば、歯車の表面特性を分析し、使用者が予設定する公差限界値に準拠しているか検査することにより性能を最大限にし、歯車に発生する雑音を最小限にすることが可能となる。
【０００９】
本発明の方法によれば、組立ラインにおいて挿入する前にねじを選択するため、生産周期を最適化し、確実に品質を向上させることが可能となる。
【００１０】
ねじの表面分析に用いるデータは試験対象のねじの伸開線の外形及び螺旋の外形に接触する感触器により走査する電子測定システムにより得られ、ウォーム歯車の実外形に対する測定精度及び高い忠実度を得るために適切にフィルタ及び処理されるデカルト形式で外形表面の一連の点を提供する。
【００１１】
本発明の更なる特徴を、添付の図に記載の単に説明のみを目的として制限を意図しない実施の形態を参照して、以下の詳細な説明において明示する。
【図面の簡単な説明】
【００１２】
【図１】ガウス低域フィルタにより得られる伸開線の一次外形を示す。
【図１Ａ】図１に示す伸開線の一次外形上で計算される正中線を示す。
【図２】ガウス低域フィルタにより得られる螺旋の一次外形を示す。
【図２Ａ】図２に示す螺旋の一次外形上で計算される正中線を示す。
【図３】ガウス高域フィルタにより得られる伸開線の表面分析外形を示す。
【図４】ガウス高域フィルタにより得られる螺旋の表面分析外形を示す。
【図５】ウォーム群７つに対して行われた実験的測定の表である。
【図６】本発明による方法の概略ブロック図である。
【発明を実施するための形態】
【００１３】
図６を参照して、本発明の方法はウォーム（ｗｏｒｍ  ｓｃｒｅｗ）（１）の４種類の異なる外形を分析する。分析する外形は：実外形（ＰＲ）、測定外形（ＰＭ）、一次外形（ＰＰ）、表面分析外形（ＳＡ）である。
【００１４】
実外形：実外形（ＰＲ）は、歯車（１）の軸を含包する面を考慮して計測機（２）により特定する。実外形（ＰＲ）は歯車の外側面と前記歯車の軸を含包する面との交差部により得られる。
【００１５】
測定外形：前記実外形（ＰＲ）を決定した後、感触器（３）により前記実外形（ＰＲ）を走査して測定外形（ＰＭ）を得る。したがって、前記実外形（ＰＲ）は前記感触器の径に基づいて機械的にフィルタされる。前記測定外形（ＰＭ）は理論外形との偏差を表す。
【００１６】
例として、前記測定外形（ＰＭ）は直径が０．５ｍｍの切削工具を備える感触器と、伸開線上及びねじの螺旋部上の最大３０００個の点を収集する測定ソフトウェアにより、ＭＤＭ伸開線を備えるウォーム歯車（１）から得る。
【００１７】
本発明による方法の入力データ、すなわち前記測定外形（ＰＭ）は完全な仮想形状（本具体例においては円の伸開線及び螺旋）ではなく、ウォーム歯車の構造データに基づき運動学的軌道に沿って移動する前記感触器のセンサにより得られる、完全な仮想形状との偏差である。
【００１８】
一次外形：一次外形（ＰＰ）は、下限界波長λＳに反比例する遮断周波数（ｆｓ）の低域フィルタ（４）により前記測定外形（ＰＭ）をフィルタすることにより得られる。したがって、前記低域フィルタは前記遮断周波数（ｆｓ）より低い周波数を通過させ、前記下限界波長λＳより低い波長を関連性が無いとして除去する。
【００１９】
前記一次外形は、前記測定外形（ＰＭ）の走査長全長に対して計算される。
【００２０】
前記低域フィルタ（４）はガウス・フィルタであってもよい。ガウス・フィルタにおいて、空間領域（ｘ）における重みの定義は以下の数式により得られる。
【００２１】
【数１】
2019007947.tif 000003
【００２２】
式中、以下の通りである。
【００２３】
【数２】
2019007947.tif 000004
【００２４】
また、λはフィルタの遮断周波数に反比例する波長である。
【００２５】
例として、低域フィルタに下限界波長λ＝λＳ＝７を選択する。
【００２６】
図１は、下限界波長λ＝λＳ＝７のガウス低域フィルタにより得られる伸開線の一次外形を示す。図１Ａは、図１に示す伸開線の一次外形上で計算される正中線を示す。
【００２７】
図２は、ガウス低域フィルタにより得られる螺旋の一次外形を示す。図２Ａは、図２に示す螺旋の一次外形上で計算される正中線を示す。
【００２８】
表面分析外形：表面分析外形（ＳＡ）は、上限界波長λＣに反比例する遮断周波数（ｆｃ）の高域フィルタ（５）により前記一次外形（ＰＰ）をフィルタすることにより得られる。
【００２９】
したがって、高域フィルタは前記遮断周波数（ｆｃ）より高い周波数を通過させ、前記上限界波長λＣより高い波長を関連性が無いとして除去する。
【００３０】
前記表面分析外形（ＳＡ）は、前記測定外形の走査長の約８０％の長さに対して計算される。
【００３１】
前記高域フィルタ（５）は低域フィルタと同様にガウス・フィルタであってもよい。
【００３２】
前記高域フィルタ（５）の場合、前記上限界波長λＣは使用者が設定してもよい。
【００３３】
望ましくは、前記上限界波長λＣは前記感触器が走査した点の数を１０で除算、すなわち以下の数式により得られる。
【００３４】
【数３】
2019007947.tif 000005
【００３５】
望ましくは、走査点の数は２０００個より多く；本具体例の場合、走査点の数が３０００個の場合、上限界波長はλＣ＝３００となる。
【００３６】
図３及び図４はそれぞれ、上限界波長λ＝λＣ＝３００のガウス高域フィルタにより得られる伸開線及び螺旋の前記表面分析外形（ＳＡ）を示し、計算機（６）を用いて公知の方法で計算される正中線（ＬＭ）を示す。
【００３７】
前記表面分析外形（ＳＡ）は、第１の誤差二次平均パラメータ（ＳＡａ）；第２の２次誤差パラメータ（ＳＡｑ）、及び第３のピーク平均パラメータ（ＳＡｐ）の計算に用いられる。
【００３８】
前記誤差二次平均（ＳＡａ）は以下の数式により得られる：
【００３９】
【数４】
2019007947.tif 000006
【００４０】
式中、ｘｉは前記（ＳＡ）外形の点と前記ＳＡ外形の正中線との絶対偏差であり；ｎｐは評価分析において考慮される点の数である。
【００４１】
通常、前記（ＳＡ）外形において考慮される点の数は走査点の数の約８０％である。したがって、本具体例において走査点が３０００個の場合、ｎｐ＝２４００である。
【００４２】
前記２次誤差（ＳＡｑ）は以下の数式により得られる。
【００４３】
【数５】
2019007947.tif 000007
【００４４】
前記ピーク平均（ＳＡｐ）は以下の数式により得られる。
【００４５】
【数６】
2019007947.tif 000008
【００４６】
式中、ｐｉは前記ＳＡ外形の正中線からの距離が少なくとも４個の隣接点の距離より大きいピーク点である。
【００４７】
前記３個のパラメータ（ＳＡａ；ＳＡｑ；ＳＡｐ）は前記計算機（６）により計算される。前記パラメータ（ＳＡａ；ＳＡｑ；ＳＡｐ）を計算した後、前記パラメータの各々を、使用者が予め設定した対応する閾値（ＴＳａ；ＴＳｑ；ＴＳｐ）と比較する。当該比較は比較器（７）により行う。
【００４８】
前記パラメータ（ＳＡａ；ＳＡｑ；ＳＡｐ）の１つがその閾値（ＴＳａ；ＴＳｑ；ＴＳｐ）より大きい場合、前記ウォーム歯車（１）は不良と判断する。
【００４９】
前記閾値（ＴＳａ；ＴＳｑ；ＴＳｐ）は、分析するウォーム歯車の種類に合わせた実験的試験に基づき使用者が計算する。
【００５０】
図５は７つのウォーム歯車群（Ａ、Ｂ、Ｃ、Ｆ、Ｄ、Ｅ、Ｇ）に対する試験結果を示す。
【００５１】
組立体に装着したねじのびびりマーク（ｃｈａｔｔｅｒｍａｒｋ）を従来の器械により測定した。更に、ねじ山の各側において、誤差算術平均（ＳＡａ）、２次誤差（ＳＡｑ）及びピーク平均（ＳＡｐ）のパラメータを計算した。
【００５２】
図５に示すように、Ｃ群及びＦ群のねじのびびりマーク値は許容不可であり、Ｂ群のねじのびびりマーク値は境界上である；Ａ群、Ｄ群、Ｅ群及びＧ群のねじのびびりマーク値は非常に低く、完全に許容範囲内である。この結果は本発明の方法により計算されるパラメータ値（ＳＡａ；ＳＡｑ；ＳＡｐ）に完全に反映されいる。
【００５３】
したがって、上記実験結果により、前記３個のパラメータ（ＳＡａ；ＳＡｑ；ＳＡｐ）の前記閾値（ＴＳａ；ＴＳｑ；ＴＳｐ）を決定できる。
【００５４】
例示のみを目的として、図５に示すねじ群に対して行われた実験的試験に基づき計算された前記閾値（ＴＳａ；ＴＳｑ；ＴＳｐ）の表を以下に示す。
【００５５】
【表１】
2019007947.tif 000009
【００５６】
本発明の本実施の形態に、当業者が利用可能で特許請求の範囲に開示の本発明の範囲に属する様々の等価な変形及び変更を加えても良いものとする。
【図１】
2019007947.tif 000014
【図１Ａ】
2019007947.tif 000015
【図２】
2019007947.tif 000016
【図２Ａ】
2019007947.tif 000017
【図３】
2019007947.tif 000018
【図４】
2019007947.tif 000019
【図５】
2019007947.tif 000020
【図６】
2019007947.tif 000021
【外国語明細書】
2019007947000001.pdf